(57)【要約】      （修正有）【課題】高信頼度の音声情報及びデータ情報伝送系を有し、設備コストの小さな光伝送ネットワークを提供する。【解決手段】局内装置は第１及び第２データ光伝送系からなる冗長構成として冗長構成の音声情報光信号と波長多重分離を行う局内波長多重装置を含むとともに、加入者収容装置は上記データ光信号を上記第１及び第２データ伝送系に対応する冗長構成として上記音声情報光信号と波長多重分離を行う加入者波長多重装置を含み、局内波長多重装置は、上記第１及び第２音声伝送系の切り替えを判別する局内切替判別部と、当該音声伝送系の切り替えに基づいて上記第１及び第２データ伝送系のいずれかを選択する局内切替制御部と、を有し、加入者波長多重装置は、上記第１及び第２音声伝送系の切り替えを判別する加入者切替判別部と、当該音声伝送系の切り替えに基づいて上記第１及び第２データ伝送系のいずれかを選択する加入者切替制御部と、を有する。【選択図】図３
2007259229.tif 000002
【特許請求の範囲】
【請求項１】
音声通信網及びデータ伝送網に接続されて音声情報光信号の送受信を行う第１及び第２音声伝送系からなる冗長構成の局内音声信号伝送回路及びデータ光信号の送受信を行う局内データ信号伝送回路を含む局内装置と、複数の加入者装置に接続されて前記局内装置との間で前記音声情報光信号の送受信を行う加入者音声信号伝送回路及び前記データ光信号の送受信を行う加入者収容装置と、を有する光伝送ネットワークであって、
前記局内装置は前記データ光信号を第１及び第２データ伝送系からなる冗長構成として前記音声情報光信号と波長多重分離を行う局内波長多重装置を含むとともに、前記加入者収容装置は前記データ光信号を前記第１及び第２データ伝送系に対応する冗長構成として前記音声情報光信号と波長多重分離を行う加入者波長多重装置を含み、
前記局内波長多重装置は、前記第１及び第２音声伝送系の切り替えを判別する局内切替判別部と、当該音声伝送系の切り替えに基づいて前記第１及び第２データ伝送系のいずれかを選択する局内切替制御部と、を有し、
前記加入者波長多重装置は、前記第１及び第２音声伝送系の切り替えを判別する加入者切替判別部と、当該音声伝送系の切り替えに基づいて前記第１及び第２データ伝送系のいずれかを選択する加入者切替制御部と、を有することを特徴とする光伝送ネットワーク。
【請求項２】
前記音声情報光信号はデジタル同期信号であり、前記局内切替判別部は前記デジタル同期信号のセクション管理情報に基づいて前記第１及び第２音声伝送系の切り替えを判別することを特徴とする請求項１に記載の光伝送ネットワーク。
【請求項３】
前記加入者波長多重装置は前記第１及び第２データ伝送系へのクロック信号を制御して前記第１及び第２データ伝送系のいずれかを選択することを特徴とする請求項１に記載の光伝送ネットワーク。
【請求項４】
前記局内波長多重装置は前記局内データ信号伝送回路の第１及び第２データ伝送系の障害を検出する障害検出部を有し、前記局内切替制御部は前記局内切替判別部の判別結果にかかわらず前記第１及び第２データ伝送系のうち障害が検出されていないデータ伝送系に切り替えることを特徴とする請求項１に記載の光伝送ネットワーク。
【請求項５】
前記加入者波長多重装置は前記加入者データ信号伝送回路の第１及び第２データ伝送系における光信号異常を検出する光信号異常検出部を有し、前記加入者切替制御部は前記加入者切替判別部の判別結果にかかわらず前記第１及び第２データ伝送系のうち光信号異常が検出されていないデータ伝送系に切り替えることを特徴とする請求項１に記載の光伝送ネットワーク。
【請求項６】
前記加入者切替制御部は、前記加入者波長多重装置との間で送受信する信号を監視して前記第１及び第２音声伝送系の切り替えを判別することを特徴とする請求項１に記載の光伝送ネットワーク。
【発明の詳細な説明】
【技術分野】
【０００１】
本発明は、光伝送ネットワーク、特に波長多重分離伝送路によって接続された局内加入者収容装置及び遠隔加入者収容装置からなる光伝送ネットワークに関する。
【背景技術】
【０００２】
近年、インターネットの普及による加入者光アクセスネットワークの進展に伴い、高速デジタル伝送ネットワーク、並びに加入者を当該伝送ネットワークに接続するための局内加入者収容装置、及び遠隔加入者収容装置などの開発が精力的に進められている（例えば、特許文献１参照）。
【０００３】
図１は、従来の局内装置、遠隔加入者収容装置、及び当該加入者収容装置と局内装置間のネットワーク構成の一例を模式的に示している。
【０００４】
通信キャリア等の局内には加入者回線を収容する局内装置が設けられている。図１に示す従来のネットワークにおいて、デジタル加入者回線（ＤＳＬ：Digital Subscriber Line）を収容する局内加入者収容装置１１０は公衆電話回線網１１等の音声情報ネットワークに接続された電話交換機（ＰＢＸ）等の交換機１４を有している。
【０００５】
局内加入者収容装置（以下、単に局内収容装置という。）１１０は冗長構成のインターフェース、すなわち０系及び１系のハイウエイインターフェース（以下、ＨＷインターフェースと表記する。）を有する。すなわち、交換機１４にはＨＷインターフェース（０系）１５及びＨＷインターフェース（１系）１６が接続されている。ＨＷインターフェース（０系）１５及びＨＷインターフェース（１系）１６は、一方が使用されている場合（運用系又はアクト系である場合）には、他方は待機状態（すなわち、待機系又はスタンバイ系）とされ、障害等の発生時などには正常な伝送系に切り替えられて運用されるようになっている。
【０００６】
さらに、局内収容装置１１０にはＩＰ（Internet Protocol）ネットワーク１２に接続された局内ルータ１７が設けられ、ＩＰネットワーク１２を介したデータ系情報のサービスがなされる。
【０００７】
一方、局内収容装置１１０は局外に設けられた遠隔加入者収容装置１１５と０系及び１系音声系光伝送路（光ファイバ）、及びデータ系光伝送路（光ファイバ）によって双方向的に接続されている。遠隔加入者収容装置１１５は１つ又は複数のユーザである加入者端末装置１９を収容する。そして、局内収容装置１１０は局外の遠隔加入者収容装置１１５に収容された加入者（加入者端末装置１９）にＤＳＬサービスを提供する。
【０００８】
より詳細には、遠隔加入者収容装置１１５は、多重分離部（０系）１２０及び多重分離部（１系）１２１を有している。多重分離部（０系）１２０と局内収容装置１１０のＨＷインターフェース（０系）１５とは下り方向音声系光伝送路（０系）１１１Ａ及び上り方向音声系光伝送路（０系）１１１Ｂの２本の光ファイバで接続されている。同様に、多重分離部（１系）１２１とＨＷインターフェース（１系）１６とは下り方向音声系光伝送路（１系）１１２Ａ及び上り方向音声系光伝送路（１系）１１２Ｂの２本の光ファイバで接続されている。
【０００９】
また、遠隔加入者収容装置１１５には、ＤＳＬ処理部１２５が設けられている。ＤＳＬ処理部１２５と局内ルータ１７とは下り方向データ系光伝送路１１３Ａ及び上り方向データ系光伝送路１１３Ｂの２本の光ファイバで接続されている。
【００１０】
なお、上り方向及び下り方向の伝送路、伝送系等について、参照符にそれぞれＡ及びＢを付して説明する。
【００１１】
すなわち、局内収容装置１１０及び遠隔加入者収容装置１１５の間には、冗長構成の音声系光伝送路（０系及び１系）について各上り方向及び下り方向で４本の伝送路、そしてデータ系光伝送路について上り方向及び下り方向で２本の伝送路であり、これらを合計すると６本の伝送路が設けられている。
【００１２】
遠隔加入者収容装置１１５には加入者回路部１２２が設けられている。加入者回路部１２２は、多重分離部（０系）１２０及び多重分離部（１系）１２１と加入者端末装置１９との間で、スプリッタ部１２６を介して、音声系情報を送受信する。スプリッタ部１２６は、音声系情報及びデータ系情報を分離又は結合する。
【００１３】
さらに、遠隔加入者収容装置１１５のＤＳＬ処理部１２５は、局内ルータ１７と加入者端末装置１９との間で、スプリッタ部１２６を介して、データ系情報を送受信する。ＤＳＬ処理部１２５は、データ系情報を転送するために必要なヘッダ処理、速度変換等の所定の処理を行う。
【００１４】
加入者端末装置１９は、遠隔加入者収容装置１１５のスプリッタ部１２６との間で、例えばメタリックケーブル等の回線により接続されている。加入者端末装置１９はスプリッタ１９１を有し、当該回線に重畳されて遠隔加入者収容装置１１５のスプリッタ部１２６から送られてきた音声系情報及びデータ系情報を分離する。電話やファクシミリ（FAX）等の音声系情報は音声端末部１９２で処理され、データ系情報はＤＳＬモデム１９３を介して、パーソナルコンピュータ（ＰＣ）等の情報端末部１９４に送られ、処理される。加入者端末装置１９から遠隔加入者収容装置１１５への上り方向の信号についてはこれと逆の処理がなされる。
【００１５】
しかしながら、かかる従来構成のネットワークでは、局内装置及び加入者収容装置間におけるデータ情報伝送系が一重化であるため、データ情報伝送系のインターフェースなどに故障が発生した場合には通信障害が発生し、ネットワークの信頼性が低いという課題があった。また、音声情報伝送系として、上り／下り及び冗長構成とするには光ファイバを４ルート（２×２＝４本）必要とし、さらにデータ情報伝送系として上り／下りで２ルート（２本）必要とし、合計すると６ルートを要することになり設備コストが大きいという問題があった。
【特許文献１】特開2000−224625号公報（第３頁、図１）
【発明の開示】
【発明が解決しようとする課題】
【００１６】
本発明は、上述した点に鑑みてなされたものであり、その目的とするところは、高信頼度の音声情報及びデータ情報伝送系を有するとともに、設備コストの小さな光伝送ネットワークを提供する。
【課題を解決するための手段】
【００１７】
本発明の光伝送ネットワークは、音声通信網及びデータ伝送網に接続されて音声情報光信号の送受信を行う第１及び第２音声伝送系からなる冗長構成の局内音声信号伝送回路及びデータ光信号の送受信を行う局内データ信号伝送回路を含む局内装置と、複数の加入者装置に接続されて局内装置との間で音声情報光信号の送受信を行う加入者音声信号伝送回路及びデータ光信号の送受信を行う加入者収容装置と、を有する光伝送ネットワークであって、
局内装置はデータ光信号を第１及び第２データ伝送系からなる冗長構成として上記音声情報光信号と波長多重分離を行う局内波長多重装置を含むとともに、加入者収容装置は上記データ光信号を上記第１及び第２データ伝送系に対応する冗長構成として上記音声情報光信号と波長多重分離を行う加入者波長多重装置を含み、
局内波長多重装置は、上記第１及び第２音声伝送系の切り替えを判別する局内切替判別部と、当該音声伝送系の切り替えに基づいて上記第１及び第２データ伝送系のいずれかを選択する局内切替制御部と、を有し、
加入者波長多重装置は、上記第１及び第２音声伝送系の切り替えを判別する加入者切替判別部と、当該音声伝送系の切り替えに基づいて上記第１及び第２データ伝送系のいずれかを選択する加入者切替制御部と、を有することを特徴としている。
【発明を実施するための最良の形態】
【００１８】
以下、本発明の実施例を図面を参照しつつ詳細に説明する。尚、以下に説明する図において、実質的に同一又は等価な構成要素、部分には同一の参照符を付している。
【実施例１】
【００１９】
図２は本発明の実施例１である通信ネットワーク５の構成を模式的に示すブロック図である。すなわち、通信ネットワーク５における局内装置、遠隔加入者収容装置、及び当該加入者収容装置と局内装置間のネットワーク構成を模式的に示している。
【００２０】
通信ネットワーク５において、通信キャリア等の局内には加入者回線を収容する局内加入者収容装置１０が設けられている。局内加入者収容装置（以下、単に局内収容装置という。）１０は、公衆電話回線網１１等の音声情報ネットワークに接続された電話交換機（ＰＢＸ）等の交換機１４を有している。
【００２１】
［局内収容装置の構成］
局内収容装置１０は、公衆電話回線網１１等に接続された音声情報系の伝送系に冗長構成のインターフェースが用いられている。すなわち、０系及び１系のハイウエイインターフェース（以下、ＨＷインターフェースと表記する。）を有する。すなわち、交換機１４には、ＨＷインターフェース（０系）１５及びＨＷインターフェース（１系）１６が接続されている。ＨＷインターフェース（０系）１５及びＨＷインターフェース（１系）１６は、局内音声信号伝送回路として機能する。ＨＷインターフェース（０系）１５及びＨＷインターフェース（１系）１６は、一方が使用されている場合（運用系又はアクト系である場合）には、他方は待機状態（すなわち、待機系又はスタンバイ系である状態）とされ、一方の伝送系に障害が発生した時などには正常な伝送系に切り替えられて運用されるようになっている。
【００２２】
また、局内収容装置１０にはＩＰネットワーク１２に接続された局内ルータ１７が設けられている。局内ルータ１７は、ＩＰパケットの宛先情報に基づいて、ＩＰネットワーク１２及び遠隔加入者収容装置２０間で送受信されるデータ系信号についてルーティング、データ転送を行う。すなわち、局内ルータ１７は、局内データ信号伝送回路として機能する。
【００２３】
さらに、局内収容装置１０には、局内ＷＤＭ（波長多重分離）装置３０が設けられている。局内ＷＤＭ装置３０は、ＨＷインターフェース（０系）１５及びＨＷインターフェース（１系）１６に対応して冗長系の構成を有し、それぞれ局内波長多重分離部（０系）３１及び局内波長多重分離部（１系）３２が設けられている。（なお、以下においては、局内波長多重分離部（０系、１系）３１、３２を、単に、波長多重分離部３１、３２と略記する場合がある。）すなわち、０系の音声系光信号はＨＷインターフェース（０系）１５及び波長多重分離部（０系）３１間で送受信され、１系の音声系光信号はＨＷインターフェース（１系）１６及び波長多重分離部（１系）３２間で送受信される。
【００２４】
また、局内ルータ１７からのデータ系信号である下り光信号はカプラ３３で分配され、波長多重分離部（０系）３１及び波長多重分離部（１系）３２に供給される。波長多重分離部（０系）３１及び波長多重分離部（１系）３２からのデータ系信号である上り光信号はカプラ３４で結合され、局内ルータ１７に供給される。すなわち、０系及び１系伝送系のうち運用系の上り光信号が局内ルータ１７に伝送されるように構成されている。
【００２５】
すなわち、局内ルータ１７及び遠隔加入者収容装置２０間のデータ系光信号についても局内ＷＤＭ装置３０の波長多重分離部（０系）３１及び波長多重分離部（１系）３２に分配されて波長多重分離されるとともに、冗長構成のデータ系伝送系が構成されている。
【００２６】
局内ＷＤＭ装置３０は、より詳細には、光分離・結合部、波長変換部等を有しているが、これらの詳細については後述する。
【００２７】
［遠隔加入者収容装置の構成］
図２に示すように、遠隔加入者収容装置２０には、局内ＷＤＭ装置３０に対応する加入者ＷＤＭ装置５０が設けられている。加入者ＷＤＭ装置５０は、加入者波長多重分離部（０系）５１及び加入者波長多重分離部（１系）５２を有し、それぞれ局内波長多重分離部（０系）３１及び局内波長多重分離部（１系）３２と０系ＷＤＭ光伝送路１８(0)（光ファイバ：１本）と１系ＷＤＭ光伝送路１８(1)（光ファイバ：１本）によって接続されている。（なお、以下においては、加入者波長多重分離部（０系、１系）５１、５２を、単に、波長多重分離部５１、５２と略記する場合がある。）
遠隔加入者収容装置２０においても、局内ルータ１７との間のデータ系光信号についても加入者波長多重分離部（０系）５１及び加入者波長多重分離部（１系）５２に分配されて波長多重分離されるとともに、冗長構成のデータ系伝送系が構成されている。
【００２８】
まず、０系伝送系が運用系として用いられている場合について説明する。局内波長多重分離部（０系）３１から０系ＷＤＭ光伝送路１８(0)を介して伝送された下り波長多重信号は、加入者波長多重分離部（０系）５１において波長分離（DEMUX）され、下り音声系光信号が加入者多重分離処理部２１に供給される。加入者多重分離処理部２１において、例えば時分割多重分離処理によって加入者多重分離処理がなされ、加入者ごとの音声情報信号に分離される。
【００２９】
当該音声系信号は加入者回路部２２に供給される。加入者回路部２２において加入者用のアナログ音声伝送信号に処理され、スプリッタ２６に供給される。
【００３０】
一方、加入者波長多重分離部（０系）５１において波長分離（DEMUX）された下りデータ系光信号はＤＳＬ処理部２５に供給され、光−電気変換後、ＤＳＬ処理によって加入者用のデータ信号に変換され、スプリッタ２６に供給される。スプリッタ２６において音声伝送信号に重畳され、加入者端末装置１９に伝送される。
【００３１】
他方、０系伝送系に障害等が発生して１系伝送系が運用系として用いられる場合、すなわち、局内波長多重分離部（１系）３２から１系ＷＤＭ光伝送路１８(1)を介して伝送された下り波長多重信号についても加入者波長多重分離部（１系）５２において波長分離され、加入者多重分離処理部２１、加入者回路部２２によって音声系信号が、ＤＳＬ処理部２５によってデータ系信号が処理される点は同様である。
【００３２】
なお、加入者波長多重分離部（０系）５１及び加入者波長多重分離部（１系）５２からの下りデータ系光信号はカプラ５３に供給され、ＤＳＬ処理部２５に伝送されるように構成されている、すなわち、０系及び１系伝送系のうち運用系の光信号がＤＳＬ処理部２５に伝送される。また、ＤＳＬ処理部２５からの上りデータ系光信号はカプラ５４で分配され、加入者波長多重分離部（０系）５１及び加入者波長多重分離部（１系）５２の両方に供給される。すなわち、遠隔加入者収容装置２０及び局内ルータ１７間のデータ系光信号についても局内ＷＤＭ装置３０の波長多重分離部（０系）５１及び波長多重分離部（１系）５２に分配されて波長多重分離なされるとともに冗長構成のデータ伝送系が構成されている。
【００３３】
加入者端末装置１９は、前述のように、メタリックケーブル等の回線を介して伝送された音声系情報及びデータ系情報をスプリッタ１９１で分離し、音声系情報及びデータ系情報がそれぞれ音声端末部１９２及び情報端末部１９４に送られ、処理される。
【００３４】
加入者端末装置１９から遠隔加入者収容装置２０への上り方向の音声系情報及びデータ系情報信号については、上記したのと逆の処理がなされる。
【００３５】
［局内ＷＤＭ装置の構成］
次に、図面を参照して局内ＷＤＭ装置３０について詳細に説明する。図３を参照すると、局内ＷＤＭ装置３０には、系切替判別部３５及び系切替制御部３６が設けられている。
【００３６】
局内ＷＤＭ装置３０には、前述のように、波長多重分離部（０系、１系）３１、３２及びカプラ３３、３４が設けられている。そして、より詳細には、波長多重分離部（０系、１系）３１、３２は波長多重分離（MUX, DEMUX）を実行するために、光分離・結合部、電気−光変換部、波長変換部等を有する。なお、これらは種々の構成をとりうるが、かかる構成例については後述する。
【００３７】
図３に示すように、局内ＷＤＭ装置３０には、波長多重分離部（０系及び１系）３１及び３２の音声情報伝送系（０系及び１系）において運用されている伝送系（運用系）を判別する系切替判別部３５が設けられている。系切替判別部３５は、運用系として選択されている伝送系を判別することによって伝送系が切り替えられたことを判別する。すなわち、系切替判別部３５は、音声系情報伝送の運用系が０系から１系に、又は１系から０系に切り替えられたことを判別する。
【００３８】
なお、系切替判別部３５は、０系及び１系音声情報伝送系の両伝送系が障害等により運用されていない場合には、運用系として選択されている伝送系が存在せず、音声情報伝送系の両伝送系が運用不可であることを表す判別信号を出力するように構成されている。
【００３９】
さらに、局内ＷＤＭ装置３０には、系切替制御部３６が設けられている。系切替制御部３６は、系切替判別部３５による判別結果に基づいて、冗長構成されているデータ情報伝送系（０系及び１系）の切替制御をなす。
【００４０】
図４を参照して、局内ＷＤＭ装置３０の構成及び動作について以下に詳細に説明する。前述のように、波長多重分離部（０系、１系）３１、３２は、種々の構成によって実現することが可能な光分離・結合部、電気−光変換部、波長変換部等を有している。従って、局内ＷＤＭ装置３０は種々の構成をとりうるが、図４は、局内ＷＤＭ装置３０の構成の一例を示している。
【００４１】
０系伝送系について説明すると、ＨＷインターフェース（０系）１５は、０系波長変換部４２(0)との間で波長λPの光信号を送受する。すなわち、ＨＷインターフェース（０系）１５からの下り方向の音声系情報光信号（波長λP）は光−電気変換器ＯＥ(11)によって電気信号に変換され、さらに、光−電気変換器ＯＥ(12)によって波長λ1の光信号に変換されて０系ビームスプリッタ４３(0)に供給される。
【００４２】
また、０系ビームスプリッタ４３(0)からの上り方向の音声系情報光信号（波長λ2）は光−電気変換器ＯＥ(12)により電気信号に変換され、さらに、光−電気変換器ＯＥ(11)によって光信号（波長λP）に変換されてＨＷインターフェース（０系）１５に供給される。
【００４３】
なお、上記のように光−電気変換器（ＯＥ(11)，(12)等）は、光信号を電気信号に、及び電気信号を光信号に相互に変換する光−電気変換器である（以下、単に、ＯＥ(11)，ＯＥ(12)のように称する）。
【００４４】
１系伝送系についても同様である。すなわち、ＨＷインターフェース（１系）１６は、１系波長変換部４２(1)との間で波長λPの光信号を送受する。すなわち、ＨＷインターフェース（１系）１６からの下り音声系情報光信号（波長λP）は１系波長変換部４２(1)のＯＥ(31)及びＯＥ(32)によって波長λ1の光信号に変換され、１系ビームスプリッタ４３(1)に供給される。他方、１系ビームスプリッタ４３(1)からの上り音声系情報光信号（波長λ2）はＯＥ(32)及びＯＥ(31)によって光信号（波長λP）に変換されてＨＷインターフェース（１系）１６に供給される。
【００４５】
局内ルータ１７からの下り方向のデータ系情報光信号（波長λP）はカプラ３３によって２分岐され、一方は０系波長変換部４２(0)に設けられたＯＥ(21)及びＯＥ(22)によって波長λ3の光信号に波長変換され、０系ビームスプリッタ４３(0)に供給される。カプラ３３によって２分岐された他方の下り光信号（波長λP）は１系波長変換部４２(1)に設けられたＯＥ(41)及びＯＥ(42)によって波長λ3の光信号に波長変換され、１系ビームスプリッタ４３(1)に供給される。
【００４６】
また、０系ビームスプリッタ４３(0)からの上り方向のデータ系情報光信号（波長λ4）は０系波長変換部４２(0)のＯＥ(22)及びＯＥ(21)によって光信号（波長λP）に波長変換され、カプラ３４に供給される。１系ビームスプリッタ４３(1)からの上り方向のデータ系情報光信号（波長λ4）についても同様に、１系波長変換部４２(1)のＯＥ(42)及びＯＥ(41)によって光信号（波長λP）に波長変換される。０系波長変換部４２(0)及び１系波長変換部４２(1)からの光信号（波長λP）はカプラ３４により合波され、局内ルータ１７に供給される。なお、上記のように、カプラ３３，３４は光信号を分岐及び合波する機能を有する。
【００４７】
ここで、上記した光信号については種々の波長を適宜選択することができる。一般的に、長距離、波長多重（Dense WDM）用途においては１．５μｍ帯近傍の波長が用いられるが、例えば、波長λP=1310nm、λ1=1470nm、λ2=1550nm、λ3=1490nm、λ4=1570nm等を選択することができる。
【００４８】
つまり、局内ルータ１７からの下り及び上りデータ系情報の伝送系についても、カプラ３３，３４、０系波長変換部４２(0)及び０系ビームスプリッタ４３(0)、１系波長変換部４２(1)及び１系ビームスプリッタ４３(1)によって２重化（冗長構成）されている。また、０系波長変換部４２(0)及び０系ビームスプリッタ４３(0)からなる系は前述の０系波長多重分離部３１に、１系波長変換部４２(1)及び１系ビームスプリッタ４３(1)からなる系は前述の１系波長多重分離部３２に相当する（図２）。
【００４９】
０系ビームスプリッタ４３(0)は、０系波長変換部４２(0)からの出力光信号（下り光信号）を合波して０系ＷＤＭ光伝送路１８(0)に送出し、１系波長変換部４２(1)からの出力光信号合波して１系ＷＤＭ光伝送路１８(1)に送出する。また、これとは相補的に、０系ビームスプリッタ４３(0)及び１系ビームスプリッタ４３(1)は、０系ＷＤＭ光伝送路１８(0)及び１系ＷＤＭ光伝送路１８(1)からの入力光信号（上り光信号）を分波してそれぞれ
０系波長変換部４２(0)及び１系波長変換部４２(1)に供給する。
【００５０】
［局内ＷＤＭ装置における系切替判別及び系切替制御］
図４に示すように、局内ＷＤＭ装置３０には、系切替判別部３５及び系切替制御部３６が設けられている。系切替判別部３５は、０系及び／又は１系の音声系情報信号を監視し、運用系として選択されている音声系情報伝送系を判別することによって伝送系が切り替えられたことを判別する。
【００５１】
系切替判別部３５は、例えば、０系及び１系波長変換部４２(0)，４２(1)における電気インターフェースに接続され、光終端部としての機能を有する。そして、系切替判別部３５は、例えば、上り音声系電気信号であるＯＥ(21)及びＯＥ(31)の出力信号をモニタして選択されている伝送系及び伝送系の切替を判別する。なお、変換後の電気信号に限らず、光信号を直接モニタして判別を行うように構成してもよい。また、上り又は下り音声系信号のいずれをモニタして判別を行ってもよい。
【００５２】
例えば、当該音声系電気信号がＳＤＨ（Synchronous Digital Hierarchy）方式のＳＴＭ−ｎ信号である場合、系切替判別部３５は、そのセクション管理情報（セクションオーバーへッド：ＳＯＨ）にマッピングされ、端局セクション切替え情報（TTC標準JT-G707）を有するＫ１，Ｋ２バイト（b1-b5）をモニタする。
【００５３】
なお、上記した系切替の判別方法は単なる例示に過ぎない。すなわち、ＳＤＨ方式に限らず、他の種々の伝送方式においても、系切替情報（信号）又はそれに相当する信号を用いることが可能である。あるいは、直接には系切替情報として用いられてはいないが、系切替に付随して変化する情報（信号）等を検出して系切替を判別することができるのは当然である。
【００５４】
さらに、これ以外にも、系切替を単に信号の有無によって判別することも可能である。つまり、０系及び／又は１系伝送系中の電気信号又は光信号をモニタし、当該信号の有無（又は信号強度）によって用いられている（選択されている）伝送系（運用系）を判別し、当該信号（又は信号強度）が変化した場合に伝送系が切替えられたと判別するようにしてもよい。
【００５５】
系切替判別部３５は、伝送系（運用系）が切り替えられたことを示す系切替信号を系切替制御部３６に送出する。系切替制御部３６は、系切替判別部３５から供給された系切替信号に基づいて、データ系情報の伝送系を切り替える制御を行う。
【００５６】
系切替制御部３６は、例えば、０系及び１系波長変換部４２(0)，４２(1)のデータ系伝送系上の光−電気変換器を制御し、０系及び１系の光−電気変換器のいずれかを一方を停止させるとともに他方を動作させるよう制御する。運用系である０系が故障して系切替判別部３５が系切替信号を発した場合、例えば、系切替制御部３６は、０系伝送系のＯＥ(21)及び／又はＯＥ(22)へのクロック供給を停止し（又はクロックを停止させ）、１系伝送系のＯＥ(41)及び／又はＯＥ(42)へクロック供給を行い（又はクロックを作動させ）、０系伝送系を運用系とする状態から、待機系であった１系伝送系を運用系として用いる系切替を行う。
【００５７】
なお、クロック制御の代わりに、ＯＥ(21)及びＯＥ(22)間の電気インターフェースのデータ、あるいはＯＥ(41)及びＯＥ(42)間の電気インターフェースのデータをマスク（全て"0"、"1"）してデータ系伝送系について０系及び１系を選択的に切り替える方法も可能である。さらに、ＯＥ(21)及びＯＥ(22)、ＯＥ(41)及びＯＥ(42)を制御してこれらと等価な機能を有するように構成することが可能である。さらには、光学スイッチ等を光伝送路（ファイバ）中に挿入し、系切替情報に基づいて光学的に光伝送をスイッチング制御することなども可能である。例えば、カプラ３３，３４をスイッチ付きカプラとして構成し、系切替判別部３５からの系切替信号に基づいて０系及び１系データ伝送系を選択的に切り替えることも可能である。
【００５８】
さらに、局内ＷＤＭ装置３０には、光モジュール監視部３７が設けられていてもよい。光モジュール監視部３７は、０系及び１系波長変換部４２(0)，４２(1)等の局内ＷＤＭ装置３０内の光モジュール（光−電気変換器等）について光入力断（ＬＯＳ）や光出力異常（レーザ素子(LD)の駆動電流異常等）（ＬＯＦ）等の光信号異常を検出する。当該光信号異常が検出された場合、光モジュール監視部３７は、異常検出信号を系切替制御部３６に供給する。
【００５９】
光モジュール監視部３７による異常検出信号を利用した動作について以下に説明する。図４において、１系伝送系が待機系とされ、０系伝送系が運用系として用いられていた場合において、重複障害（故障）が発生した場合について説明する。
【００６０】
図５に示すように、ＨＷインターフェース（０系）１５が運用系とされ、ＨＷインターフェース（１系）１６を待機系としたとき、局内ＷＤＭ装置３０の０系伝送系（波長変換部４２(0)、ビームスプリッタ４３(0)）及びＷＤＭ光伝送路１８(0)が運用系、１系伝送系（波長変換部４２(1)、ビームスプリッタ４３(1)）及びＷＤＭ光伝送路１８(1)が待機系となる。
【００６１】
このとき、待機系のＨＷインターフェース（１系）１６が故障し、かつ、運用系の０系伝送系に故障が発生した場合（重複障害時）には、前述したように系切替判別部３５は音声系信号に関する０系及び１系音声伝送系の両方が故障と判別することなり、サービスが停止状態となる。
【００６２】
しかしながら、本実施例においては、光モジュール監視部３７は、局内ＷＤＭ装置３０内のデータ系信号の運用系及び待機系（０系及び１系）のＯＥが正常であるか否か（障害の有無）を検出する。例えば、光モジュール監視部３７は、局内ＷＤＭ装置３０内のデータ系信号の待機系であるＯＥ(41)及びＯＥ(42)の異常を監視し、異常検出信号を系切替制御部３６に供給する。系切替制御部３６は、光モジュール監視部３７において異常が検出されず（正常である）、異常検出信号が供給されない場合には、ＯＥ(41)及びＯＥ(42)にクロック供給を行い（又はクロックを作動させ）、待機系であった１系伝送系を運用系として用いる。一方、運用系であった０系伝送系のＯＥ(21)及びＯＥ(22)へのクロック供給を停止し、０系伝送系を停止させる。
【００６３】
つまり、０系及び１系音声伝送系の両方が故障の場合、系切替制御部３６は系切替判別部３５の判別信号（両音声伝送系の故障を表す信号）にかかわらず、光モジュール監視部３７において正常である（障害が検出されていない）と判別されたデータ伝送系に切替える。
【００６４】
かかる動作によって、音声系伝送系におけるＨＷインターフェース（送受信機）及び伝送系の両者に障害（重複障害）が発生した場合であっても、音声系伝送路の系状態に依存することなく、正常な伝送路（伝送系）を選択することによってデータ系信号の伝送を行うことができる。
【００６５】
［加入者ＷＤＭ装置の構成、及び系切替判別及び系切替制御］
図６に示すように、局内ＷＤＭ装置３０に対応する加入者ＷＤＭ装置５０も局内ＷＤＭ装置３０と同様な構成を有している。
【００６６】
加入者ＷＤＭ装置５０は局内ＷＤＭ装置３０と同様な構成を有し、相補的に動作する。すなわち、０系ＷＤＭ光伝送路１８(0)又は１系ＷＤＭ光伝送路１８(1)を介して伝送された下り波長多重信号は、それぞれビームスプリッタ６３(0)又はビームスプリッタ６３(1)で波長分離され、波長変換部６２(0)又は波長変換部６２(1)で波長変換される。より詳細には、０系波長変換部６２(0)又は１系波長変換部６２(1)では、下り方向において波長λ1、λ3の光信号が波長λQの光信号に、上り方向において波長λ2、λ4の光信号が波長λQの光信号に変換される。しかしながら、これらに限らず、種々の波長を適宜選択することができる。例えば、λQは前述のλPと同一波長又は同一バンド（１．３μｍ又は１．５μｍ帯）の波長であってもよい。
【００６７】
さらに、加入者ＷＤＭ装置５０には、系切替判別部５５、系切替制御部５６及び光モジュール監視部５７が設けられている。これらの機能・動作は上記した局内ＷＤＭ装置３０における系切替判別部３５、系切替制御部３６及び光モジュール監視部３７とそれぞれ同様である。
【００６８】
局内ルータ１７との下り及び上りデータ系情報の伝送系についても、カプラ５３，５４、０系ビームスプリッタ６３(0)及び０系波長変換部６２(0)、１系ビームスプリッタ６３(1)及び１系波長変換部６２(1)によって２重化（冗長構成）されている。ここで、０系ビームスプリッタ６３(0)及び０系波長変換部６２(0)は前述の０系波長多重分離部５１に、１系ビームスプリッタ６３(1)及び１系波長変換部６２(1)は１系波長多重分離部５２に相当する（図２）。
【実施例２】
【００６９】
図７は本発明の実施例２である遠隔加入者収容装置２０の構成を模式的に示すブロック図である。
【００７０】
本実施例において、遠隔加入者収容装置２０に、加入者多重分離処理部２１、加入者回路部２２、ＤＳＬ処理部２５、スプリッタ２６、加入者ＷＤＭ装置５０が設けられている点は上記した実施例と同様である。
【００７１】
また、加入者ＷＤＭ装置５０には、波長多重分離部（０系及び１系）５１及び５２の音声情報伝送系（０系及び１系）において運用されている伝送系（運用系）が切り替えられたことを判別する系切替判別部５５が設けられている。加入者ＷＤＭ装置５０には、系切替判別部５５による判別結果に基づいて、冗長構成されているデータ信号伝送系（０系及び１系）の切替制御をなす系切替制御部５６が設けられている点、さらに、光−電気変換器等について光信号異常検出信号を系切替制御部３６に供給する光モジュール監視部５７が設けられている点も上記した実施例と同様である。
【００７２】
しかし、本実施例においては、上記した実施例と異なり、系切替判別部５５は加入者多重分離処理部２１からの信号に基づいて、運用されている伝送系（運用系）が切り替えられたことを判別するように構成されている。
【００７３】
しかし、本実施例においては、上記した実施例と異なり、系切替判別部５５は加入者多重分離処理部２１からの信号に基づいて、運用されている伝送系（運用系）を判別する。すなわち、加入者波長多重装置との間で信号を送受信する加入者多重分離処理部２１における信号を監視して、音声伝送系の切り替えを判別する。
【００７４】
より詳細には、加入者多重分離処理部２１に供給された下り音声系光信号に基づいて伝送系が切り替えられたことを判別する。例えば、当該音声系光信号を電気信号に変換した後、当該音声信号に付されているセクション管理情報（セクションオーバーへッド）等のヘッダ情報等によって判別することができる。
【００７５】
あるいは、前述のように、種々の伝送方式における系切替情報（信号）又はそれに相当する信号、又は、系切替に付随して変化する情報（信号）等を検出して系切替を判別することができる。さらに、これ以外にも、系切替を単に信号の有無、つまり、０系及び／又は１系伝送系中の信号をモニタし、当該信号の有無（又は信号強度）によって用いられている伝送系（運用系）を判別し、当該信号（又は信号強度）が変化した場合に伝送系が切替えられたと判別することもできる。
【００７６】
以上、詳細に説明したように、音声情報及びデータ情報を高信頼度で伝送することができるとともに、設備コストの小さな光伝送ネットワーク提供することができる。
【００７７】
上記した実施例において、上り方向及び下り方向は便宜上設けたものであって、いずれが上り方向又は下り方向であっても構わない。
【００７８】
なお、上記した実施例は例示に過ぎない。また、上記した実施例を適宜改変及び組み合わせて適用することが可能である。
【図面の簡単な説明】
【００７９】
【図１】従来の局内装置、遠隔加入者収容装置、及び当該加入者収容装置と局内装置間のネットワーク構成の一例を模式的に示す図である。
【図２】本発明の実施例１である通信ネットワークの構成を模式的に示すブロック図である。
【図３】局内ＷＤＭ装置の構成を模式的に示すブロック図である。
【図４】局内ＷＤＭ装置の構成の一例を模式的に示すブロック図である。
【図５】１系伝送系が待機系とされ、０系伝送系が運用系として用いられていた場合において、重複障害が発生した場合について説明する図である。
【図６】加入者ＷＤＭ装置の構成の一例を模式的に示すブロック図である。
【図７】本発明の実施例２である遠隔加入者収容装置の構成を模式的に示すブロック図である。
【符号の説明】
【００８０】
１０  局内収容装置
１５  ＨＷインターフェース（０系）
１６  ＨＷインターフェース（１系）
１７  局内ルータ
２０  遠隔加入者収容装置
３０  局内ＷＤＭ装置
３１  局内波長多重分離部（０系）
３２  局内波長多重分離部（１系）
３３，３４  カプラ
３５  系切替判別部
３６  系切替制御部
３７  光モジュール監視部
５０  加入者ＷＤＭ装置
５１  加入者波長多重分離部（０系）
５２  加入者波長多重分離部（１系）
５３，５４  カプラ
５５  系切替判別部
５６  系切替制御部
５７  光モジュール監視部
【図１】
2007259229.tif 000003
【図２】
2007259229.tif 000004
【図３】
2007259229.tif 000005
【図４】
2007259229.tif 000006
【図５】
2007259229.tif 000007
【図６】
2007259229.tif 000008
【図７】
2007259229.tif 000009